【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
方法であって、モバイル・クライアント・システムが、
該モバイル・クライアント・システムの地理的ロケーションを決定する工程と、
該地理的ロケーションを該モバイル・クライアント・システムのメモリ内のロケーション履歴内に記憶する工程であって、該ロケーション履歴は、
１つまたは複数の地理的ロケーション、および
該地理的ロケーションのそれぞれに対応する１つまたは複数のタイム・スタンプを含む、前記記憶する工程と、
該モバイル・クライアント・システムの現在の速度、該モバイル・クライアント・システムの現在のバッテリ・レベル、および該モバイル・クライアント・システムがオンライン・ソーシャル・ネットワークへの現在のネットワーク接続を有しているかどうかに少なくとも部分的に基づいて該モバイル・クライアント・システムの現在のステータスを検出する工程と、
該モバイル・クライアント・システムの該現在のステータス、および該ロケーション履歴をロケーション・サーバに送るための電力要件に少なくとも部分的に基づいて、該ロケーション履歴を含むメッセージを該オンライン・ソーシャル・ネットワークの該ロケーション・サーバに送る工程であって、前記電力要件は、
該モバイル・クライアント・システムを起動するための電力コスト、および
該モバイル・クライアント・システムから該ロケーション・サーバにメッセージを送信するために決定された電力使用数量に基づく、前記送る工程と
を含む方法。
【請求項２】
前記モバイル・クライアント・システムの前記地理的ロケーションを決定する工程は、全世界測位システム（ＧＰＳ）信号、Ｗｉ−Ｆｉ信号、またはセルラー無線信号のうちの１または複数にアクセスする工程を含む、請求項１に記載の方法。
【請求項３】
前記ロケーション・サーバにおける前記ロケーション履歴は、前記モバイル・クライアント・システムに関連付けられた前記オンライン・ソーシャル・ネットワークのユーザのチェックイン活動を含む、請求項１に記載の方法。
【請求項４】
前記ロケーション・サーバにおける前記ロケーション履歴は、前記モバイル・クライアント・システムに関連付けられた前記オンライン・ソーシャル・ネットワークのユーザによってタグ付けされたロケーションを含む、請求項１に記載の方法。
【請求項５】
前記モバイル・クライアント・システムは、所定の時間間隔で前記ロケーション履歴を更新する、請求項１に記載の方法。
【請求項６】
該所定の時間間隔は、前記オンライン・ソーシャル・ネットワークのサーバによって指定される、請求項５に記載の方法。
【請求項７】
該所定の時間間隔は、前記モバイル・クライアント・システムによって指定される、請求項５に記載の方法。
【請求項８】
前記ロケーション履歴は、所定の時間間隔で前記オンライン・ソーシャル・ネットワークに送られる、請求項５に記載の方法。
【請求項９】
該所定の時間間隔は、前記オンライン・ソーシャル・ネットワークのサーバによって指定される、請求項８に記載の方法。
【請求項１０】
該所定の時間間隔は、前記モバイル・クライアント・システムによって指定される、請求項８に記載の方法。
【請求項１１】
該所定の時間間隔は、前記モバイル・クライアント・システムのオペレーティング・システムに少なくとも部分的に基づく、請求項８に記載の方法。
【請求項１２】
前記ロケーション・サーバは、前記モバイル・クライアント・システムに関連付けられたユーザの前記ロケーションを求める前記オンライン・ソーシャル・ネットワークのユーザによる要求に応答して、前記モバイル・クライアント・システムに前記ロケーション履歴を要求し得る、請求項１に記載の方法。
【請求項１３】
前記モバイル・クライアント・システムの前記現在のステータスは、前記モバイル・クライアント・システムのジャイロスコープの加速度計によって決定される、請求項１に記載の方法。
【請求項１４】
前記モバイル・クライアント・システムは、歩く速度で移動していると前記モバイル・クライアント・システムが決定した場合、静止状態である、請求項１に記載の方法。
【請求項１５】
前記モバイル・クライアント・システムは、前記モバイル・クライアント・システムがもはや静止していないと決定したことに応答して、前記ロケーション履歴を前記ロケーション・サーバに送る、請求項１に記載の方法。
【請求項１６】
前記モバイル・クライアント・システムは、前記モバイル・クライアント・システムと前記ロケーション・サーバとの間の既存の接続を通じて前記ロケーション履歴を前記ロケーション・サーバに送る、請求項１に記載の方法。
【請求項１７】
前記モバイル・クライアント・システムは、前記ロケーション履歴を前記ロケーション・サーバに送るために前記ロケーション・サーバに対する新しい接続を確立する、請求項１に記載の方法。
【請求項１８】
前記モバイル・クライアント・システムが静止していないと決定された場合には、前記モバイル・クライアント・システムの前記ロケーションを決定するためのサンプリング持続時間を短縮することを含む、請求項１に記載の方法。
【請求項１９】
ソフトウェアを含む１つまたは複数のコンピュータ可読非一時的記憶媒体であって、該ソフトウェアは、実行されたとき、
モバイル・クライアント・システムの地理的ロケーションを決定し、
該地理的ロケーションを該モバイル・クライアント・システムのメモリ内のロケーション履歴内に記憶するように動作可能であり、該ロケーション履歴は、
１つまたは複数の地理的ロケーション、および
該地理的ロケーションのそれぞれに対応する１つまたは複数のタイム・スタンプを含み、該ソフトウェアはさらに、
該モバイル・クライアント・システムの現在の速度、該モバイル・クライアント・システムの現在のバッテリ・レベル、および該モバイル・クライアント・システムがオンライン・ソーシャル・ネットワークへの現在のネットワーク接続を有しているかどうかに少なくとも部分的に基づいて該モバイル・クライアント・システムの現在のステータスを検出し、
該モバイル・クライアント・システムの該現在のステータス、および該ロケーション履歴をロケーション・サーバに送るために必要とされる電力に少なくとも部分的に基づいて、該ロケーション履歴を含むメッセージを該オンライン・ソーシャル・ネットワークの該ロケーション・サーバに送るように動作可能であり、前記電力要件は、
該モバイル・クライアント・システムを起動するための電力コスト、および
該モバイル・クライアント・システムから該ロケーション・サーバにメッセージを送信するために決定された電力使用数量に基づく、コンピュータ可読非一時的記憶媒体。
【請求項２０】
１つまたは複数のプロセッサと、該プロセッサに接続され、該プロセッサによって実行可能な命令を備えるメモリとからなるシステムであって、該プロセッサは、該命令を実行したとき、
モバイル・クライアント・システムの地理的ロケーションを決定し、
該地理的ロケーションを該モバイル・クライアント・システムのメモリ内のロケーション履歴内に記憶するように動作可能であり、該ロケーション履歴は、
１つまたは複数の地理的ロケーション、および
該地理的ロケーションのそれぞれに対応する１つまたは複数のタイム・スタンプを含み、該プロセッサはさらに、
該モバイル・クライアント・システムの現在の速度、該モバイル・クライアント・システムの現在のバッテリ・レベル、および該モバイル・クライアント・システムがオンライン・ソーシャル・ネットワークへの現在のネットワーク接続を有しているかどうかに少なくとも部分的に基づいて該モバイル・クライアント・システムの現在のステータスを検出し、
該モバイル・クライアント・システムの該現在のステータス、および該ロケーション履歴をロケーション・サーバに送るための電力要件に少なくとも部分的に基づいて、該ロケーション履歴を含むメッセージを該オンライン・ソーシャル・ネットワークの該ロケーション・サーバに送るように動作可能であり、前記電力要件は、
該モバイル・クライアント・システムを起動するための電力コスト、および
該モバイル・クライアント・システムから該ロケーション・サーバにメッセージを送信するために決定された電力使用数量に基づく、システム。
【請求項２１】
前記決定された電力使用数量は、前記モバイル・クライアント・システムが前記オンライン・ソーシャル・ネットワークへの現在のネットワーク接続を検出したかどうかに少なくとも部分的に基づく、請求項１に記載の方法。